(57)【要約】本発明は、特に雪上で用いるモノスキー（１）を、ハンドルなどの単一の操作部材のシンプルな回転とシンプルな傾きを介して、同時的な横方向の傾きと長手方向の捻れによって操作するための装置に関する。したがって、装置は、一対の従来的な付属品の必要な機械的性能と自転車の使いやすさを兼ね備え、特殊なモノスキーを必要としない。装置は、雪上を自由に移動することや、保持されるが固定はされない両足で操作するか、または平地を押して安定性を得るために一方の足を使うことを可能とする。操作部材が有するレバーアームは、一対の従来的な付属品のそれよりも遥かに優れ、装置の使いやすさや最大性能を大きく改善する。最後に、装置は、取扱いや保管が容易となるように素早く折り畳むことができる。【選択図】図１
2020522416.tif 000002
【特許請求の範囲】
【請求項１】
特に雪上で用いるサーフボード（１）用の乗用装置であって、
上記サーフボードは、
上記ボードの第１半部に実質的に設けられた第１足立て領域（ｚ）と、
上記ボードの第２半部に実質的に設けられた第２足立て領域（ｚ’）とを備え、
上記第１足立て領域（ｚ）を基準として、上記ボード（１）の垂線と、上記ボードの重心を長手方向に通る第１軸（Ａ）とにより第１平面（Ｐ）が構成され、
上記第２足立て領域（ｚ’）を基準として、上記ボード（１）の垂線と、上記第１軸（Ａ）とにより第２平面（Ｐ’）が構成され、
上記装置は、
第１端部（１５）において上記第１領域（ｚ）の高さで第１サブプレート（２）を介して上記ボード（１）に接続され、かつ第２端部（１７）において第１点（ｏ’）で上記第１平面（Ｐ）に対して少なくとも平行に拘束される第１連結要素（４）と、
第３端部（１２）において上記第２領域（ｚ’）の高さで第２サブプレート（２’）を介して上記ボード（１）に接続され、かつ第４端部（１４）において第２点（ｏ）で上記第２平面（Ｐ’）に対して少なくとも平行に拘束される第２連結要素（３）と、
少なくとも上記第１点（ｏ’）の高さで上記第１連結要素（４）に接続されると共に少なくとも上記第２点（ｏ）の高さで上記第２連結要素（３）に接続され、上記第１点（ｏ’）と上記第２点（ｏ）との間に定まった所定の距離を保つ捻り要素（５）とを備え、
上記捻り要素（５）の自由な動作により、上記第１平面（Ｐ）に対して上記第２点（ｏ）が移動すると共に上記第２平面（Ｐ’）に対して上記第１点（ｏ’）が移動する
ことを特徴とする乗用装置。
【請求項２】
請求項１において、
上記捻り要素（５）は、上記第２点（ｏ）を含む第２軸（Ｅ）回りにおいて回動可能に上記第２連結要素（３）に接続されていて、上記第２軸（Ｅ）回りにおいて少なくとも２°の角度領域にわたって自由に回動可能である
ことを特徴とする乗用装置。
【請求項３】
請求項２において、
上記捻り要素（５）は、上記第１点（ｏ’）を含む第３回転軸（Ｄ）回りにおいて回動可能に上記第１連結要素（４）に接続されており、
上記第２軸（Ｅ）と上記第３軸（Ｄ）との間には、少なくとも２°の角度（ｇ）が存在する
ことを特徴とする乗用装置。
【請求項４】
請求項３において、
上記第２連結要素（３）は、第４軸（Ｃ）回りにおいて回動可能に第１サブプレート（２）に取り付けられており、
上記捻り要素（５）は、把持部材（２５）であって、該把持部材の重心（ｋ）と、上記第２軸（Ｅ）と上記第４軸（Ｃ）との交点（ｘ）とを通る第５軸（Ｆ）を規定する把持部材（２５）を有し、
上記第１点（ｏ’）は、上記把持部材と上記第２点（ｏ）との間に位置する
ことを特徴とする乗用装置。
【請求項５】
請求項４において、
上記第１点（ｏ’）と上記第２点（ｏ）とは、上記第５軸（Ｆ）の両側に位置する
ことを特徴とする乗用装置。
【請求項６】
請求項４において、
上記第１点（ｏ’）は、上記第５軸（Ｆ）上に位置する
ことを特徴とする乗用装置。
【請求項７】
請求項１〜６のいずれか１項において、
上記第１連結要素（４）を上記捻り要素（５）に接続する保持要素（６）であって、少なくとも上記第１連結要素（４）または上記捻り要素（５）に対して着脱可能な保持要素（６）を備える
ことを特徴とする乗用装置。
【請求項８】
請求項１〜７のいずれか１項において、
上記第１連結要素（４）は、非直線状である
ことを特徴とする乗用装置。
【請求項９】
請求項１〜８のいずれか１項において、
上記第１連結要素（４）は、第６軸（Ｂ）回りにおいて回動可能に上記ボード（１）に接続されている
ことを特徴とする乗用装置。
【請求項１０】
請求項９において、
上記第１連結要素（４）は、長さを変えられる一方で、上記第１連結要素（４）の上記第６軸（Ｂ）回りにおける回動に関わらず上記第１点（ｏ’）を上記第１平面（Ｐ）から一定距離に保つように伸縮式になっている
ことを特徴とする乗用装置。
【請求項１１】
請求項９において、
上記第１連結要素（４）は、該第１連結要素（４）の両端部の間の全体的な長さが変更できる一方、上記第１連結要素（４）の上記第６軸（Ｂ）回りにおける回動に関わらず上記第１点（ｏ’）が上記第１平面（Ｐ）から一定距離に保たれるように、上記第６軸（Ｂ）と平行な第７回転軸にしたがって互いに接続される２つの半部を有する
ことを特徴とする乗用装置。
【発明の詳細な説明】
【技術分野】
【０００１】
本発明は、サーフボード、特にスノーサーフボードに乗るための装置に関する。
【背景技術】
【０００２】
スノーサーフボードにおいて、ユーザ操作のための様々な構造を、必ずしも当該ボードへの足の固定を伴わないものとして設けることが広く知られている。
【０００３】
公知の装置は、実質的に小さな寸法を有する第１の硬いサーフボードを、ハンドルを頂部に有するステアリングコラムを前部に備えるフレームの固定された後部に固定することによって自転車の原理を応用する。このステアリング部材の下端部には、後部に固定されたものよりも概して小さな寸法を有する第２のボードが備えられる。この装置は自転車やスノーサーフボードのいずれの動的挙動も正確には再現しないことに加え、２つの特殊なボードのコストや容積が主な欠点をもたらす。
【０００４】
ボードの一部において臀部の高さに固定された保持バーなどの別の装置も存在する。しかし、当該装置は、固定領域におけるボードの姿勢しかコントロールできず、当該ボードの長手方向全体における撓みをコントロールできない。さらに、ボードの全長の一部のみの傾きでは、当該ボードに乗るために十分でないことが今や知られている。なぜなら、ユーザの重みに起因する撓みが生じ、またコントロールされないためである。
【先行技術文献】
【特許文献】
【０００５】
【特許文献１】仏国特許出願公開第２７３２６０９号明細書
【特許文献２】米国特許出願公開第２００６１９７２９４号明細書
【発明の概要】
【発明が解決しようとする課題】
【０００６】
本発明の目的は、ハンドルなどの独特な乗用部材のシンプルな回転およびシンプルな揺動の組合せを通じて、スノーサーフボードにおいて横方向の傾きと長手方向の撓みを同時にコントロールするための装置を提供することにある。したがって、当該装置は、一対の従来的な付属品の必要な機械的性能と、自転車の使いやすさとを兼ね備える一方、特殊なサーフボードを必要としない。当該装置によると、保持されるが固定はされない両足で乗って雪上を自由に移動でき、あるいは平坦面を押すために一方の足を使って安定を得ることができる。乗用部材が提供するレバーアームは、一対の従来的な付属品のそれよりも位置が高く、それにより大幅に使いやすさが増すと共に、器具の最大性能が飛躍的に向上する。最後に、当該装置は、取扱いや保管が容易となるように、素早く折り畳まれる。
【課題を解決するための手段】
【０００７】
特に雪上で用いるサーフボードに乗るためのこの装置は、第１足立て領域ｚと、これと同様の第２足立て領域ｚ’とを備える。第１足立て領域ｚは、ボードの実質的に第１半部に、好ましくはボードにおける２番目の５分の１に大部分が配置され、特にボードの重心で当該ボードの長手方向に延びる軸Ａの両側に配置されるねじインサートで構成される。当該領域ｚを基準として、ボードの垂線と軸Ａによって第１平面Ｐが構成される。第２足立て領域ｚ’は、ボードの実質的に第２半部に、好ましくはボードにおける４番目の５分の１に大部分が配置される。当該領域ｚ’を基準として、ボードの垂線と軸Ａによって第２平面Ｐ’が構成される。
【０００８】
この乗用装置は、適合された形状と長さを有し、第１端部において第１サブプレートを介して領域ｚの高さでボードに固定され、かつ第２端部の点ｏ’において平面Ｐに対して少なくとも平行に拘束される第１連結要素と、適合された形状と長さを有し、第１端部において第２サブプレートを介して領域ｚ’の高さでボードに固定され、かつ第２端部の点ｏにおいて平面Ｐ’に対して少なくとも平行に拘束される第２連結要素と、適合された形状と長さを有し、少なくとも点ｏ’の高さで連結要素に固定されると共に少なくとも点ｏの高さで連結要素に固定され、かつ点ｏ’と点ｏとの間に定まった所定の距離を保つ第３捻り要素とを備え、当該捻り要素の自由な動作により、平面Ｐに対して点ｏが移動すると共に平面Ｐ’に対して点ｏ’が移動する。
【０００９】
特許文献１は、少なくとも１つの握りによって操作されるスノーサーフボードを開示する。特許文献２は、重力によって動く折り畳み可能なスキー車両を操作するための装置を開示する。
【図面の簡単な説明】
【００１０】
【図１】図１は、本発明の実施形態に係る装置を備えた静止状態のサーフボードの斜視全体図であって、本発明を説明する様々な要素、軸、および平面と、その運動力学を表している。
【図２】図２は、実施形態のボードとそのサブプレートの斜視細部図である。
【図３】図３は、実施形態の連結要素の斜視細部図である。
【図４】図４は、実施形態の別の連結要素の斜視細部図である。
【図５】図５は、本発明の運動力学を左右する実施形態の捻り系と幾何的要素の側面全体図である。
【図６】図６は、実施形態の着脱可能なコネクタの斜視細部図である。
【図７Ａ】図７Ａは、本発明の原理を示す斜視図であって、２つの異なる姿勢の一方に係るものである。
【図７Ｂ】図７Ｂは、本発明の原理を示す斜視図であって、２つの異なる姿勢の他方に係るものである。
【図８Ａ】図８Ａは、本発明に係る装置を備えたサーフボードの斜視図であって、その乗用部材が反時計回り方向に動かされ、平面Ｐ，Ｐ’に係る角度ｈが生じている。
【図８Ｂ】図８Ｂは、本発明に係る装置を備えたサーフボードの正面図であって、その乗用部材が反時計回り方向に動かされ、平面Ｐ，Ｐ’に係る角度ｈが生じている。
【図９Ａ】図９Ａは、本発明に係る装置を備えたサーフボードの斜視図であって、その乗用部材が時計回り方向に動かされ、平面Ｐ，Ｐ’に係る角度ｈ’が生じている。
【図９Ｂ】図９Ｂは、本発明に係る装置を備えたサーフボードの正面図であって、その乗用部材が時計回り方向に動かされ、平面Ｐ，Ｐ’に係る角度ｈ’が生じている。
【図１０Ａ】図１０Ａは、本発明に係る装置を備えたサーフボードの側面図であって、折り畳み位置にある。
【図１０Ｂ】図１０Ｂは、本発明に係る装置を備えたサーフボードの斜視図であって、折り畳み位置にある。
【図１１】図１１は、本発明に係る変形例の装置の斜視図である。
【発明を実施するための形態】
【００１１】
特に断らない限り、「約」や「実質的」の表現は、略１０％、好ましくは略５％を意味する。
【００１２】
各図に示すように、市場で普通に見つかるものと同じタイプのスノーサーフボード１は、本発明の好ましい実施形態に係る装置を備える。スノーサーフボード１は、図２に示すように、当該ボードの互いに逆側の半部に実質的にそれぞれ配置された２つの足立て領域ｚ，ｚ’を備える。これらの足立て領域には、ねじによる付属品の固定を可能とする埋込金属インサート８が設けられる。概して、これらのインサートの群は、長手方向の設定範囲を提供するために従来的な付属品によって使用され得る数よりも多い。
【００１３】
第１サブプレート２は、固定穴７および不図示のねじによって第１領域ｚに従来のように配置され、インサート８と組み合わさっている。軸Ａは、ボード１を、その中央において長手方向に通っている。したがって、サブプレート２は、長手方向軸Ａ（縦軸Ａ）の一方側に配置されていて、軸穴１０をそれぞれ有する２つの軸脚部９を各側部に備える。当該２つの軸穴１０は、横軸Ｂにしたがって同軸状に並んでいる。サブプレート２は、寸法設定されていて、金属または複合繊維のような耐性材料で作られている。そのような耐性材料によると、含まれる重量や容積を維持しつつ課せられる制約を支持することが可能となる。ボード１におけるサブプレート２の幅によると、その間に容易に足を入れることが可能となる。
【００１４】
不図示の変形例によると、サブプレート２の２つの穴１０は、足を保持するためのストラップの端部を収容する。このストラップは、一般に、より快適となるように調節可能で詰物が入っている。ほとんどの場合、それは長さ調節を容易化するラッチと係合する非可塑性材料で作られた少なくとも１つのラックでできている。
【００１５】
第１サブプレート２とよく似た第２サブプレート２’は、ボード１の第２領域ｚ’の高さに同様に配置され、かつ軸Ｂと平行な横軸Ｃを同様に規定している。したがって、サブプレート２’は、長手方向軸Ａの他方側に配置されていて、軸穴１０’を有する２つの軸脚部９’を各側部に備える。当該２つの穴１０’は、横軸Ｃにしたがって同軸状に並んでいる。
【００１６】
ユーザは、第１の足を第１領域ｚに配置しかつ第２の足を第２領域ｚ’に配置してもよい。ここで、ボードを長手方向において同じ長さに５つの連続した部分に分割すると、ボード１における第１の足の支持面の大部分は当該ボードの２番目の部分に位置し、かつボード１における第１の足の支持面の大部分は４番目の部分に位置する。
【００１７】
（図１に示すように、）ボード１に対しておよび軸Ｂに対して垂直な平面Ｐを、領域ｚを基準にして規定する。また、ボード１の上面に対しておよび軸Ｃに対して垂直な第２平面Ｐ’を、領域ｚ’を基準にして規定する。２つの平面Ｐ，Ｐ’間の角度は、ｈで表される。ボード１が静止している場合、２つの平面Ｐ，Ｐ’は互いに平行であり、これらの間の角度ｈはしたがってゼロである。
【００１８】
図４に示す第１連結要素４は、領域ｚの高さで第１下端部１５によって、特にねじやピンなどの軸Ｂと同軸状に配置される２つの着脱可能軸体１１を介して、サブプレート２に回動可能に接続される。当該端部１５は、逆Ｕ字状にしたがって、その中にユーザが後足を入れられるハウジングを構成してもよい。当該端部１５の幅は、長手方向軸Ａの両側において連結要素４に作用する梃子の力に耐えるように寸法設定される。連結要素４の第２上端部１７は、特に筒状かつ中空状になっていて、筒状ハウジング１８を構成している。第２上端部１７は、ピンなどの着脱可能軸体２０と係合する径方向軸穴１９を有する。所定の形状および長さを有する連結要素４の本体部１６は、２つの端部１５，１７を互いにしっかりと接続する。その形状は、好ましい実施形態によると、平面Ｐに関して非対称であり、それにより通常はボード１の真上に立つユーザの脚の上部や骨盤を避けることができる。また、脚がかなり曲がる場合、特にジャンプするような場合には、器具の構造体とのいかなる接触も回避することが重要である。したがって、連結要素４は、好ましい実施形態では直線状でない。ある実施形態によると、軸Ａおよび点ｏ’を含む基準面を想定して、連結要素４の容積の７５％以上が当該基準面の一方側に配置される。この配置は着脱可能軸体１１によって容易に逆転可能であり、それによりユーザはどちら側に連結要素４をセットするかを選択できる。このように、連結要素４の本体部１６は、ユーザの脚の片側に配置される。概して、連結要素４をボード１に固定するための要素は、上記基準面の一方側または他方側に向けて連結要素４を取り付けられるように適合される。
【００１９】
この連結要素４は、他の要素による制約を受けない場合、軸Ｂ回りにおいて自由に回動可能である（例えば、図７Ａを参照）。それは、常に平面Ｐに対して平行に拘束される。平面Ｐから端部１７を隔てる距離は、予め定められかつ一定である。連結要素４の全体的な寸法設定や構成材料は、この所定の距離を維持でき、かつ横方向の曲げ力によく耐えるようなものである。特に、連結要素４は、強度と軽さを兼ね備えるように、アルミ形材または複合材料で作られる。端部１５の幅は、長手方向軸Ａの両側において連結要素４に作用する梃子の力に耐えるように寸法設定される。
【００２０】
図３に示す第２連結要素３は、領域ｚ’の高さで第１下端部１２によって、軸Ｃと同軸状に配置されるねじやピンなどの着脱可能軸体１１’を介して、サブプレート２’に回動可能に接続される。第１下端部１２は、特に、その中にユーザが他方の足を入れられるハウジングを構成する。円筒状の第２上端部は、雄型シャフト１４を構成していて、捻り軸Ｅに対応する回転軸として機能する。このシャフト１４は、両側に２つの保持ブッシュ１３を有する。これらのブッシュは、不図示の適当な手段によって固定されている。連結要素３は、他の要素による制約を受けない場合、軸Ｃ回りにおいて自由に回動可能である（例えば、図７Ａを参照）。それは、常に平面Ｐ’に対して平行に拘束される。シャフト１４の重心は、点ｏにある。よって、平面Ｐ’から点ｏを隔てる距離は、本実施形態ではゼロであって、予め定められかつ一定である。捻り軸Ｅは、シャフト１４と実質的に同軸状であって、平面Ｐ’と実質的に平行である。点ｘは、軸Ｃと軸Ｅとの交点である。連結要素３の全体的な寸法設定や構成材料は、この所定の距離を維持でき、かつ横方向の曲げ力によく耐えるようなものである。連結要素３は、平面Ｐ’に対して平行に拘束される。特に、連結要素３は、強度と軽さを兼ね備えるように、アルミ形材または複合材料で作られる。端部１２の幅は、長手方向軸Ａの両側において連結要素３に作用する梃子の力に耐えるように寸法設定される。
【００２１】
不図示の変形例によると、本発明に係る装置とは別個に、実質的に長手方向軸Ａ上において２つのサブプレート２，２’の近くに足部保持手段が設けられる。したがって、連結要素４，３の各下端部１５，１２は、足を入れるための拘束から切り離され、純粋に機械的または美的な制限に関連する他の形状を有してもよい。そのような形状として、特に左向きもしくは右向きのＬ字状、または逆Ｔ字状が挙げられ、これらの形状によって好ましい実施形態に係る上記の逆Ｕ字状が置き換えられる。
【００２２】
図１、図５、および図７に関連して示す捻り要素５は、中空筒状で穴として機能する雌型下端部２１を有する。当該端部２１の重心は、点ｏにある。捻り軸Ｅが点ｏを通ることが想起される。捻り軸Ｅは、点ｘで軸Ｃにぶつかる。この軸Ｅは、端部２１の円筒形状と同軸状である。端部２１は、その直径や長さにより、連結要素３の雄型シャフト１４と適切に係合する。端部２１は、連結要素３の２つのブッシュ１３の間に、大きな隙間を伴わずに捕捉された状態になる。不図示の減摩性ジャーナルが、端部２１とシャフト１４との間に設けられてもよい。
【００２３】
端部２１とシャフト１４とは、十分な長さにわたって互いに同軸状に係合し、それにより連結要素３と捻り要素５との間の回転以外の自由度が制限され、軸方向分離を促す力に持ちこたえる。この長さは、２０〜１２０ｍｍであるのが理想的であるが、選択する材料によっては１０ｍｍ以上であってもよい。同様に、点ｏと点ｘとを隔てる距離は、軸方向分離を促す力に持ちこたえるのに十分であり、理想的には２０〜１２０ｍｍであるが、選択する材料によっては１０ｍｍ以上であってもよい。
【００２４】
本体部２２は、適当な形状と長さを有する。本体部２２は、互いに対向して配置された肩付きジャーナル２３を有し、それにより減摩性の筒状ケージが構成される。この一対の筒状の肩付きジャーナル２３は、その重心において点ｏ’を規定する。回転軸Ｄは、点ｏ’と点ｘを通る。軸Ｅと軸Ｄとは、所定の角度ｇをなす。この一対の肩付きジャーナル２３は、ねじやリベットなどの不図示の手段により本体部２２に固定され、必要に応じてその高さ位置を調節できるようになっている。
【００２５】
また、捻り要素５は、本実施形態によると、その他端部に、握りなどの２つの把持部材２５を有するハンドルなどの乗用要素２４を備える。把持部材２５の重心は、点ｋである。バイアス軸Ｆは、点ｋと点ｘを通る。バイアス軸Ｆと軸Ｄとの間の角度は、０〜２５°、好ましくは２〜１７°、より好ましくは５〜１５°、さらに好ましくは６〜８°、特に約７°である。
【００２６】
不図示の従来的な装置によると、乗用部材２５は、スライド可能であることで、捻り要素５の本体部２２に対して高さを調節可能であり得る。
【００２７】
不図示の変形例によると、要素２１，１４のシャフトや穴の各機能は逆であってもよく、その場合、雄部が捻り要素５に設けられかつ雌部が連結要素３に設けられる。この変形例を左右する機械的制約は、好ましい実施形態にしたがって上述したものと同様である。
【００２８】
図６に示す着脱可能な保持要素６は、一対の肩付きジャーナル２３に対して、これに捕捉されるリング２６を介して固定される。リング２６の内径は、一対の肩付きジャーナル２３の外径よりも実質的に大きい。この一対の肩付きジャーナル２３とリング２６は同軸状に配置され、したがって、後者は、自由に回転できるものの、本体部２２に沿って並進的に移動することはできない。また、着脱可能な保持要素６は、リング２６の径方向拡張部に設けられた柱状部２７を有する。柱状部２７は、連結要素４の筒状ハウジング１８と係合し得るように適切に寸法設定される。ピンハウジング２８が柱状部２７から延びていて、連結要素４のピン２０と係合する。したがって、保持要素は、連結要素４の上端部１７に回動可能に接続され得る。
【００２９】
着脱可能な保持要素６が連結要素４の上端部１７に接続される場合、点ｏ’は連結要素４に対して分離不能かつ所定の距離をもって固定される。よって、装置が静止状態で捻り要素５が動かされない場合、点ｏは平面Ｐからゼロまたは所定の距離に位置し、点ｏ’は平面Ｐ’からゼロまたは所定の距離に位置する。
【００３０】
本発明の趣旨は、捻り要素５の動作を通じて、特に乗用部材２４による軸Ｄ回りの回転動作を通じて、平面Ｐに対して点ｏを移動させ、および／または平面Ｐ’に対して点ｏ’を移動させることであり、ここで、点ｏと点ｏ’とを隔てる距離は固定されかつ予め定められる。
【００３１】
不図示の変形例によると、後述するロック機能は、着脱可能な固定ピンなくして実現されるが、１つだけのモールド部品を伴う。このモールド部品は、端部１７回りに回動可能であって、当該端部の穴１９を通って配置される固定軸に留めるための必要なラグを有する。
【００３２】
着脱可能ピン２０がピンハウジング２８を通って配置されない場合、連結要素３、捻り要素５、および着脱可能な保持要素６は、図７Ａに示すように、互いに接続される一方で連結要素４には接続されない。そして、本発明に係る装置は、図１０Ａおよび図１０Ｂに示すように、折り畳まれてもよく、これは機械的な持上げ、搬送、または保管に便利である。
【００３３】
着脱可能ピン２０がピンハウジング２８および軸穴１９の両方を通って配置される場合、要素３，４，５，６は、互いに固定され（図１を参照）、理論的には不静定構造を形成し、それにより軸Ａの両側で乗用部材２４を揺動させることでボード１に少なくとも乗ることができる。それでもなお、サーフボードは、いくらかの構造的な柔軟性を有する。よって、回転軸Ｄ回りにおけるユーザによる乗用部材２４の回転が可能であり、それにより、図８Ａ、図８Ｂ、図９Ａ、および図９Ｂに示すように、長手方向軸Ａに対応するボード１の捻り変形が生じる。
【００３４】
捻り要素５は、連結要素３に固定されているが、図７Ａおよび図７Ｂにおいて捻り要素５に接続されない連結要素４とは無関係に、軸Ｅ回りにおける少なくとも１つの回転自由度を有する。この動作は、時計回り方向と反時計回り方向の両方向において、少なくとも２°、好ましくは少なくとも数°、特に５°、より好ましくは少なくとも１０°の最小角度領域にわたって可能である。図７Ａおよび図７Ｂに示す好ましい実施形態では、この領域が３６０°であることが容易に理解される。別の実施形態によると、乗用部材２４の小さな角度自由度は、ボード１における同じ捻り効果に対して、より大きな値の角度ｇによって補償されてもよいが、当該乗用部材においてより大きな力を消費する。
【００３５】
回転軸Ｄ回りにおける乗用部材２４の同じ回転角度領域に対して、ボード１の捻り効果による変形は、２つの軸Ｄ，Ｅを隔てる所定の角度ｇの値に比例する。軸Ｅ，Ｄの間の角度であるｇの値は、知覚可能な捻り効果を実現するために、少なくとも２°、好ましくは少なくとも数°、特に５°、より好ましくは少なくとも１０°であり、好ましくは１０〜３５°である。所定の角度ｇの値が０°である場合、点ｏが回転軸Ｄ上に位置し、その径方向変位がゼロになる。この場合、ボード１は軸Ａ回りにおいて捻れ変形しないだろう。
【００３６】
特に図７Ａおよび図７Ｂに示すように、点ｏおよび軸Ｅは、連結要素３および捻り要素５に対して共通であり（図１、図３、および図５を参照）、これらの軸方向の固定を特徴付ける。
【００３７】
図８Ａおよび図８Ｂに示すように、乗用部材２４が反時計回り方向に回転すると、平面Ｐと平面Ｐ’との間に角度ｈが生じ、ボード１の左旋回を誘発する捻れがそれにより生じる。
【００３８】
図９Ａおよび図９Ｂに示すように、乗用部材２４が時計回り方向に回転すると、平面Ｐと平面Ｐ’との間に角度ｈ’が生じ、ボード１の右旋回を誘発する捻れがそれにより生じる。
【００３９】
この変形により、平面Ｐに対して点ｏが移動し、平面Ｐ’に対して点ｏ’が移動する。角度ｈは、ボード１の捻り効果の規模を表しており、これは点ｏと点ｘとを隔てる距離とは無関係である。なぜなら、この規模を決定するのは角度ｇの値であるためである。
【００４０】
乗用部材２４がその最大有効規模で回動する場合、すなわちその静止位置に対して±９０°回動する場合、角度ｈ，ｈ’は所定の角度ｇに等しくなる。
【００４１】
サーフボードに乗る場合、ユーザは、連結要素３の端部２１に第１の足を入れ、連結要素４の端部２２に第２の足を入れる。そして、ユーザは、乗用部材２４を介して、梃子の作用により長手方向軸Ａにしたがって横向きにボード１を傾けることができる。ユーザは、同時に、回転軸Ｄにしたがって、時計回り方向または反時計回り方向に当該乗用部材を回すことができる。したがって、横向きの梃子作用に加えて、この動作により、釣り合いの取れた同時的な態様で、ボード１に対して、長手方向軸Ａにしたがって、平面Ｐと平面Ｐ’との間の角度ｈで特徴付けられる捻り力を及ぼすことができる。その際、捻り要素５は、軸Ｄ回りに回動する。
【００４２】
乗り手が乗用部材２）によって軸Ａ回りにボード１を横向きに傾ける場合、当該乗り手は、旋回の内側に向かって雪からボード１を浮かせ、ボード１の幅や実行速度による遠心力に比例して自身の重みで下方に働く力に梃子の作用で抗する。乗り手の各足を介して働くこの力は、一方で、第１サブプレート２、連結要素４、着脱可能な保持要素６、および捻り要素５を介して、他方で、第２サブプレート２’、連結要素３、および再び捻り要素５を介して、乗用部材２４まで連続的に伝わる。ユーザは、図１の点ｋに重心がある一対の握りなどの把持部材２５により、この力に抗する。この抗力は、図１および図５に示すように、点ｋおよび点ｘを通るバイアス軸Ｆに沿った梃子作用によって働く。この梃子作用は、点ｋと点ｘとを隔てる距離に比例する。
【００４３】
点ｏとバイアス軸Ｆとの間の過剰な距離ｄ２は、乗り手がその対応する脚でかける重みによって、乗用部材２４に対して寄生的なトルク効果を生じ得る。同様に、点ｏ’とバイアス軸Ｆとの間の過剰な距離ｄ１は、乗り手がその他方の脚でかける重みによって、乗用部材２４に対して前者と逆方向の寄生的なトルク効果を生じ得る。
【００４４】
したがって、連結要素３，４と捻り要素５との各接触点ｏ，ｏ’は、距離ｄ１がゼロでない場合、バイアストルクを重畳させず逆にそれらを相対させるように、バイアス軸Ｆの両側に配置されることが好ましい。この配置によると、距離ｄ１，ｄ２は、ボード１に乗るときに生じる最終的なトルク効果の方向と大きさを規定するための変数となる。別の構成によると、点ｏ’は、軸Ｆ上に配置されてもよく、その場合、当該軸Ｆと軸Ｄが重なって距離ｄ１がゼロになる。留意すべきこととして、距離ｄ２は、角度ｇと無関係である。この構成によると、斜面の方向に自然に旋回が生じ、それは追従効果であってもよい。
【００４５】
図１１に関連して記載する変形例によると、連結要素４は、実質的に直線状で平面Ｐに対して平行である。そして、ユーザの脚は、連結要素４の両側に配置される。不図示の別の変形例によると、連結要素４は、着座姿勢で装置に乗ることを可能にするシートを有する。不図示の別の変形例によると、保持要素６は、連結要素４に固定されていて、ユーザによって捻り要素５から分離可能である。不図示の別の変形例によると、連結要素４は、その長さを変更できる一方、軸Ｂ回りにおける連結要素４の回動に関わらず点ｏ’を平面Ｐから一定距離に保つように伸縮式になっている。この構成によると、着脱可能な保持要素６をそれが接続される何らかの要素から分離することなく、装置を折り畳むことが可能となる。不図示の別の変形例によると、連結要素４は、軸Ｂと平行な剛性軸によって互いに接続される２つの半部で構成され、それにより当該連結要素４の全体的な長さをコンパスのように変えることができる一方、軸Ｂ回りにおける連結要素４の回動に関わらず点ｏ’を平面Ｐから一定の所定距離に保つことができる。当該要素４の２つの半部の相対的な長さを適切に調節することで、この構成により、着脱可能なコネクタ６をそれが固定される何らかの要素から分離することなく、装置を折り畳むことができる。
【図１】
2020522416.tif 000003
【図２】
2020522416.tif 000004
【図３】
2020522416.tif 000005
【図４】
2020522416.tif 000006
【図５】
2020522416.tif 000007
【図６】
2020522416.tif 000008
【図７Ａ】
2020522416.tif 000009
【図７Ｂ】
2020522416.tif 000010
【図８Ａ】
2020522416.tif 000011
【図８Ｂ】
2020522416.tif 000012
【図９Ａ】
2020522416.tif 000013
【図９Ｂ】
2020522416.tif 000014
【図１０Ａ】
2020522416.tif 000015
【図１０Ｂ】
2020522416.tif 000016
【図１１】
2020522416.tif 000017
【国際調査報告】
2020522416.tif 000018
2020522416.tif 000019
2020522416.tif 000020
2020522416.tif 000021